(57)【要約】【課題】フィルタ素材、フィルタ清掃手段等を、従来の汎用空気調和機にもオプション装着可能にした空気調和機を提供する。【解決手段】フィルタ素材２５、フィルタ清掃装置４０等を備えるフィルタユニット２０を、本体ユニット１とは別体に設けた。【選択図】図２
2007309581.tif 000002
【特許請求の範囲】
【請求項１】
熱交換器及び送風機を有する本体ユニットと、この本体ユニットの下方位置に配置されるとともに、中央に吸込口を有し、４つの辺部に各々吹出口を有した化粧パネルとを備えた空気調和機において、
前記本体ユニットと前記化粧パネルとの間に当該本体ユニットの外形と大きさがほぼ同じで、所定高さを有したフィルタユニットを備え、
このフィルタユニットには当該ユニットの所定高さ内に収まるようにフィルタ素材と、このフィルタ素材に付着した塵埃を吸引する吸引手段とを配置し、この吸引手段に接続されて吸引した塵埃を集塵する集塵ボックスを当該フィルタユニットの隅部に配置したことを特徴とする空気調和機。
【請求項２】
熱交換器及び送風機を有する本体ユニットと、この本体ユニットの下方位置に配置されるとともに、中央に吸込口を有し、２つの辺部に各々吹出口を有した化粧パネルとを備えた空気調和機において、
前記本体ユニットと前記化粧パネルとの間に当該本体ユニットの外形と大きさがほぼ同じで、所定高さを有したフィルタユニットを備え、
このフィルタユニットには当該ユニットの所定高さ内に収まるようにフィルタ素材と、このフィルタ素材に付着した塵埃を吸引する吸引手段とを配置し、この吸引手段に接続されて吸引した塵埃を集塵する集塵ボックスを当該フィルタユニットの短手方向略中央部に配置したことを特徴とする空気調和機。
【請求項３】
前記集塵ボックスは、サイクロン式であることを特徴とする請求項１または２に記載の空気調和機。
【請求項４】
前記フィルタ素材は、ロール巻き取り式であることを特徴とする請求項１乃至３のいずれか一項に記載の空気調和機。
【発明の詳細な説明】
【技術分野】
【０００１】
本発明は、吸込開口から吸込まれた空気を流通させるフィルタ素材を備えた空気調和機に関する。
【背景技術】
【０００２】
従来、熱交換器及び送風機を有する本体ユニットと、この本体ユニットの下方位置に配置されると共に、中央に吸込口を有し、２つまたは４つの辺部に各々吹出口を有した化粧パネルとを備えた空気調和機が知られている。この種の空気調和機では、室内空気の吸込面にフィルタ素材が配置されており、このフィルタ素材によって吸込んだ室内空気を濾過している。このフィルタ素材には室内空気に含まれる塵埃が捕捉されて蓄積されるので、空気調和機の累積運転時間が長くなると、フィルタが目詰まりを起こしてしまい、吸気抵抗の増加に伴って空気調和機の運転効率が低下してしまう。そのため、フィルタ素材の濾過面に付着している塵埃をフィルタ清掃手段で吸引して清掃すると共に、汚れたフィルタ素材をフィルタ搬送機構で巻き取って新しいフィルタ素材を繰り出す空気調和機が提案されている（例えば、特許文献１参照）。
【特許文献１】特開平９−１８４６５６号公報
【発明の開示】
【発明が解決しようとする課題】
【０００３】
しかし、上述した従来の技術では、フィルタ素材、フィルタ清掃手段およびフィルタ搬送機構等を、例えば空気調和機本体内に組み込まなければならず、この機構を有した空気調和機を、いわゆる専用機として開発しなければならない。
そこで、本発明の目的は、上述した従来の技術が有する課題を解消し、フィルタ素材、フィルタ清掃手段等を、従来の汎用空気調和機にもオプション装着可能にした空気調和機を提供することにある。
【課題を解決するための手段】
【０００４】
本発明は、熱交換器及び送風機を有する本体ユニットと、この本体ユニットの下方位置に配置されると共に、中央に吸込口を有し、４つの辺部に各々吹出口を有した化粧パネルとを備えた空気調和機において、前記本体ユニットと前記化粧パネルとの間に当該本体ユニットの外形と大きさがほぼ同じで、所定高さを有したフィルタユニットを備え、このフィルタユニットには当該ユニットの所定高さ内に収まるようにフィルタ素材と、このフィルタ素材に付着した塵埃を吸引する吸引手段とを配置し、この吸引手段に接続されて吸引した塵埃を集塵する集塵ボックスを当該フィルタユニットの隅部に配置したことを特徴とする。
【０００５】
また本発明は、熱交換器及び送風機を有する本体ユニットと、この本体ユニットの下方位置に配置されると共に、中央に吸込口を有し、２つの辺部に各々吹出口を有した化粧パネルとを備えた空気調和機において、前記本体ユニットと前記化粧パネルとの間に当該本体ユニットの外形と大きさがほぼ同じで、所定高さを有したフィルタユニットを備え、このフィルタユニットには当該ユニットの所定高さ内に収まるようにフィルタ素材と、このフィルタ素材に付着した塵埃を吸引する吸引手段とを配置し、この吸引手段に接続されて吸引した塵埃を集塵する集塵ボックスを当該フィルタユニットの短手方向略中央部に配置したことを特徴とする。
【０００６】
上記場合において、前記集塵ボックスは、サイクロン式であってもよい。前記フィルタ素材は、ロール巻き取り式であってもよい。
【発明の効果】
【０００７】
本発明によれば、フィルタ素材、フィルタ清掃手段等を備えるフィルタユニットが、本体ユニットとは別体に設けられているため、フィルタ素材、フィルタ清掃手段等を、従来の汎用空気調和機にもオプション装着することができる。
【発明を実施するための最良の形態】
【０００８】
次に図面を参照して、本発明の好適な実施の形態について説明する。
（第１実施形態）
図１は、本実施形態に係る天井埋込型空気調和機（空気調和機）１００の斜視図、図２は、図１の断面図である。
この天井埋込型天井埋込型空気調和機１００は、図１に示すように、略四角形の箱形に形成されている板金製の本体ユニット１と、フィルタユニット２０と、化粧パネル２１とによって三段に構成されており、図２に示すように、吊りボルト２で天井から吊り下げられている。
【０００９】
この本体ユニット１の内側には、図２に示すように、発泡スチロール製の断熱体３、送風機９、及び熱交換器１１を備えている。断熱体３は、本体ユニット１の側板１Ａの内面に略接した状態で配置されている。
送風機９は、シャフトを下向きに配置されたモータ５と、モータ５のシャフトに取り付けられた羽根車７とで構成されている。
熱交換器１１は、この送風機９を取り囲むように、略四角形状に曲げられており、断熱体３の内側に配置されている。
【００１０】
また、この断熱体３の内側であって熱交換器１１の下方には、熱交換器１１の下面１１Ａを覆うように、発泡スチロール製のドレンパン１３と、このドレンパン１３に溜まるドレンを外部に排出するドレンポンプ（不図示）が配置されている。
ドレンパン１３は、その外周１３Ａが本体ユニット１の側板１Ａの内面に略接した状態で配置されており、このドレンパン１３には、送風機９のノズル１７、電装ボックス１９（図３）等の各種部品がねじ止めされている。
フィルタユニット２０は、図１に示すように、取付具５５が本体ユニット１のフィルタユニット取付部５６に支持されて本体ユニット１の下面に取り付けられており、図２に示すように、フィルタ素材２５と、フィルタ清掃装置（吸引手段）４０と、フィルタ搬送装置４１とを備えている。
フィルタユニット２０の下面には、化粧パネル２１が取り付けられている。この化粧パネル２１には、被調和室の空気を吸込むグリル状の吸込口２２と、調和空気を被調和室に吹き出す吹出口２３とが形成されている。化粧パネル２１は、本体ユニット１及びフィルタユニット２０の外形よりも大きな矩形のパネルであり、吸込口２２が中央に形成され、吹出口２３が４つの辺部２１Ａに各々形成されている。
【００１１】
図３は、本体ユニット１を示す底面図である。
ドレンパン１３には、吸込開口１３０及び吹出開口１３１が形成されている。吸込開口１３０は、ドレンパン１３を本体ユニット１に組み付けたときに、吸込開口１３０が化粧パネル２１の吸込口２２（図２参照）に対応する位置に形成され、吹出開口１３１は化粧パネル２１の吹出口２３（図２参照）に対応する位置に形成されている。ドレンパン１３に設けられた吸込開口１３０は、略矩形に形成されたドレンパン１３の中央に平面視略円形に形成されている。また、吹出開口１３１は、ドレンパン１３の４辺のそれぞれに沿って形成されている。
本体ユニット１の側板１Ａの外側には、４個の吊り金具２７Ａ〜２７Ｄが連結されており、この吊り金具２７Ａ〜２７Ｄが吊りボルト２（図２参照）で支持されて、天井埋込型天井埋込型空気調和機１００は天井から吊り下げられている。吊り金具２７Ａ〜２７Ｄに、補強部材１５Ａ、１５Ｂがねじ３０でねじ止めされており、この補強部材１５Ａとドレンパン１３とに前記電装ボックス１９がねじ止めされている。また、吊り金具２７Ａとこの吊り金具２７Ａの対角にある吊り金具２７Ｄとの近傍には、フィルタユニット２０の取付具５５（図１参照）を連結してフィルタユニット２０を支持するためのフィルタユニット取付部５６が設けられている。
【００１２】
図４は、フィルタユニット２０を示す底面図である。
フィルタユニット２０には、吸込開口４２及び吹出開口４３が形成されている。このフィルタユニット２０の外形は、本体ユニット１の外形と大きさがほぼ同じであり、また、フィルタ素材２５やフィルタ清掃装置４０等を納めるのに十分な高さを有している。吸込開口４２は、フィルタユニット２０を本体ユニット１に組み付けたときに、化粧パネル２１の吸込口２２（図２参照）に対応する位置に形成され、吹出開口４３は化粧パネル２１の吹出口２３（図２参照）に対応する位置に形成されている。フィルタユニット２０に設けられた吸込開口４２は、略矩形に形成されたフィルタユニット２０の中央に平面視略矩形に形成されている。また、吹出開口４３は、フィルタユニット２０の４辺のそれぞれに沿って形成されている。
フィルタユニット２０の底面には、四隅に化粧パネル２１を支持するための化粧パネル取付部５７が設けられている。また、フィルタユニット２０の取付具５５は、フィルタユニット２０を本体ユニット１に組み付けたときに、本体ユニット１のフィルタユニット取付部５６に対応する位置に設けられている。
【００１３】
フィルタユニット２０の吸込開口４２は、図２に示すように、フィルタユニット２０を本体ユニット１に組み付けたときに、本体ユニット１の吸込開口１３０に対応する位置に形成され、フィルタユニット２０の吹出開口４３は本体ユニット１の吹出開口１３１に対応する位置に形成されている。このため、化粧パネル２１の吸込口２２から吸込まれた空気は、フィルタユニット２０の吸込開口４２を通って、本体ユニット１の吸込開口１３０に流入する。また、本体ユニット１の吹出開口１３１から吹き出された調和空気は、フィルタユニット２０の吹出開口４３を通って、化粧パネル２１の吹出口２３から被調和室に吹き出す。
【００１４】
フィルタ素材２５は、図４に示すように、フィルタ搬送装置４１に取り付けられており、矩形の濾過面２６が形成されている。この濾過面２６は、フィルタ素材２５が取り付けられた状態で、ドレンパン１３に形成された吸込開口１３０を覆い尽くすようになっている。このフィルタ素材２５には、付着した塵埃が取り除き易く、容易に清掃することができるように、凹凸の少ないフラットな素材で帯状に形成されている。フィルタ素材２５は、フィルタ搬送装置４１により、矢印Ａに示す方向に搬送可能であり、フィルタ素材２５の搬送方向の前後には、濾過面２６の枠を形成する枠フレーム５８が設けられている。
【００１５】
フィルタ搬送装置４１は、濾過面２６の両端でフィルタ素材２５をガイドする一対のガイド軸４４を備えている。また、これら一対のガイド軸４４の間には、一対のロール４５Ａ、４５Ｂが配置されている。これらロール４５Ａ、４５Ｂは、濾過面２６とドレンパン１３との間に配置されているとともに、濾過面２６から吸込開口１３０に対して垂直に流入する空気の妨げとならない位置に避けて配置されている。
フィルタ素材２５は帯状に形成されており、濾過面２６の両端でガイド軸４４に沿って吸込開口１３０に向かって屈曲されている。フィルタ素材２５は、一端がロール４５Ａに巻きつけられ、他端がロール４５Ｂに巻き付けられている。濾過面２６の両端がガイド軸４４で屈曲して形成されているため、ガイド軸４４を設けずに濾過面２６の両端に直接ロール４５Ａ、４５Ｂを設けた場合と異なり、ロール４５Ａ、４５Ｂに巻き付けられたフィルタ素材２５の巻き数に応じて、フィルタ搬送装置４１と枠フレーム５８との隙間Ｃ、Ｄの大きさが変化することがない。
【００１６】
ロール４５Ａは、搬送モータ４６の駆動力で回転可能であり、ロール４５Ｂは、ある一定の力（少なくとも送風機９の吸引力ではフィルタ素材２５が送風機９に吸込まれない程度の力）を超えたときのみに回転するラッチを備えている。これにより、ロール４５Ａがフィルタ素材２５を引っ張るため、フィルタ素材２５にテンションが生じるようになっている。
搬送モータ４６が駆動すると、ロール４５Ａが回転してフィルタ素材２５を引張り、ロール４５Ｂに巻き付けられたフィルタ素材２５が繰り出されてフィルタ素材２５が矢印Ａに示す方向に搬送され、フィルタ素材２５における濾過面２６の位置が変わる。
【００１７】
フィルタ清掃装置４０は、清掃ノズル４７、フレキシブルホース４９及び吸引装置４８を備えている。吸引装置４８と清掃ノズル４７とは、フレキシブルホース４９を介して接続されており、吸引装置４８が吸引力を発生させることにより、吸込口としての清掃ノズル４７が、フィルタ素材２５に付着した塵埃を吸引する。このとき、清掃ノズル４７が吸引した塵埃は、フレキシブルホース４９を介して吸引装置４８に搬送され、この吸引装置４８に設けられた集塵ボックス４８Ａに集塵される。
この集塵ボックス４８Ａは、フィルタユニット２０の隅部であって略直角に隣り合う二つの吹出開口４３の間に配置されている。フィルタユニット２０は、集塵ボックス４８Ａを備えることにより、集塵した塵埃を室外等に捨てる必要がなく、また、室外等に通じる排気用フレキシブルホース等を設ける必要がないため、フィルタユニット２０の据え付けが容易である。集塵ボックス４８Ａはサイクロン式であり、吸引した塵埃を圧縮して集塵するため、小さな集塵ボックス４８Ａであっても、多量の塵埃を集塵することができる。
【００１８】
また、集塵ボックス４８Ａの外側、すなわちフィルタユニット２０の外枠２０Ａの外側には、吸引装置４８の吸引力を発生させる吸引送風機５４が配置されている。さらにこの吸引送風機５４の横には、この吸引送風機５４を駆動する吸引モータ５３が配置されている。吸引送風機５４及び吸引モータ５３は、吸引装置４８の一部を構成している。吸引装置４８は、集塵ボックス４８Ａ及び吸引送風機５４に対して略直角に曲がった位置、すなわち、吹出開口４３の横の位置に吸引モータ５３が配置されている。このため、吸引モータ５３が、集塵ボックス４８Ａ及び吸引送風機５４に対して直線的に配置された場合に対して、フィルタユニット２０はコンパクトに構成されている。
【００１９】
フレキシブルホース４９は、フィルタ搬送装置４１と吹出開口４３との間に形成されたホース収納空間Ｅに収納されている。ここで、フレキシブルホース４９の中間部は、ホース収納空間Ｅのうちのレールフレーム５０Ａ、５０Ｂに略平行に形成された壁面Ｅ１の中央から集塵ボックス４８Ａに若干寄った位置に、ホース固定具５９で固定されている。このため、フレキシブルホース４９は、ホース固定具５９を基点に、清掃ノズル４７側が自由に動き、清掃ノズル４７の移動に追従して動くことができる。また、フレキシブルホース４９は、ホース固定具５９と集塵ボックス４８Ａとの間が略直線的に延在し、吸引装置４８が吸引するときの圧力損失を抑え、吸引力の低下を抑えている。
【００２０】
レールフレーム５０Ａのフィルタ素材２５と反対側の側面には、スライドモータ５１が配置され、レールフレーム５０Ａのフィルタ素材２５側の側面には、図２に示すように、スライド方向の両端近傍に一対のプーリ５２が配置されている。
これら一対のプーリ５２の周りには、一本の輪状のベルト５３が巻き掛けられている。このベルト５３は、スライドモータ５１の駆動力によって一対のプーリ５２の周りを回転するようになっている。また、ベルト５３には清掃ノズル４７が固定されており、スライドモータ５１が回転してベルト５３を回転することにより、清掃ノズル４７がレールフレーム５０Ａ、５０Ｂに沿って移動するようになっている。
【００２１】
清掃ノズル４７は、フィルタ素材２５の幅方向両端に濾過面２６に沿って配置された一対のレールフレーム５０Ａ、５０Ｂに架け渡されている。清掃ノズル４７は、図４に示すように、レールフレーム５０Ａ、５０Ｂに対して略垂直に保たれた状態で、矢印Ｂに示すようにレールフレーム５０Ａ、５０Ｂに沿って前後にスライドすることができる。天井埋込型天井埋込型空気調和機１００の運転中には、清掃ノズル４７は、矢印Ｂのいずれかの方向の終端部、すなわち、濾過面２６を通風する空気の妨げとならない位置にある。
この清掃ノズル４７は、レールフレーム５０Ａ、５０Ｂに架け渡されたメインフレーム７１を備えている。このメインフレーム７１のフィルタ素材２５側には、図５に示すように、ノズル本体７０が取り付けられている。このノズル本体７０は、矩形断面で中空に形成されており、図６に示すように、濾過面２６に沿って帯状に延びている。濾過面２６に対向する吸込面７０Ａの中央には、レールフレーム５０Ａ側からレールフレーム５０Ｂ側にわたり、濾過面２６に付着した塵埃を吸引する吸引開口７５が形成されている。この吸引開口７５は、フィルタ素材２５の全幅と略同寸法の長さであるとともに、フィルタ素材２５の幅方向と略同方向に延びている。ノズル本体７０内には、吸引開口７５とフレキシブルホース４９とを連通させる連通空間Ｆが形成されている。
【００２２】
ノズル本体７０のレールフレーム５０Ａ側は、Ｌ字管７６を介してフレキシブルホース４９（図４参照）に接続されている。また、ノズル本体７０の連通空間Ｆは、Ｌ字管７６側（レールフレーム５０Ａ側）の端部で高さｔ１である。このため、ノズル本体７０の連通空間Ｆの高さは、Ｌ字管７６側から他端にかけて次第に小さくなるように形成されており、他端側、すなわち、レールフレーム５０Ｂ側では高さｔ２（ｔ１＞ｔ２）となる。これにより、ノズル本体７０に形成された連通空間Ｆの断面は、吸引開口７５における位置が、フレキシブルホース４９が接続された位置から離れるにつれて小さくなるように形成されている。
【００２３】
メインフレーム７１のレールフレーム５０Ａ側端部及びレールフレーム５０Ｂ側端部には、図７に示すように、メインフレーム７１に、メインフレーム７１からフィルタ素材２５（濾過面２６）の裏側（吸込開口１３０側）まで延在するサイドフレーム７３がフィルタ素材２５の脇に取り付けられている。一対のサイドフレーム７３の間には、フィルタ素材２５の裏側に、対向板７２が架け渡されて一対のサイドフレーム７３と一体に形成されている。すなわち、フィルタ素材２５は、濾過面２６の表側に配置されたノズル本体７０と、濾過面２６の裏側に配置されてノズル本体７０の吸込面７０Ａに対向する対向板７２とにより挟み込まれている。これにより、対向板７２は清掃ノズル４７の一部を構成しており、サイドフレーム７１により一体に連結されたノズル本体７０とともにフィルタ素材２５の濾過面２６に沿って移動する。ここで、対向板７２は、図５に示すように、清掃ノズル４７の移動方向の両端が、フィルタ素材２５に当たらないように吸込開口１３０側に向かって屈曲されて屈曲部７２Ａが形成されており、対向板７２の吸込面７０Ａに対向する面の面積は、吸込面７０Ａと略同面積である。また、吸込面７０Ａと対向板７２との間隔は、吸引装置４８が稼働したときに、吸込面７０Ａと対向板７２との間を流れる空気の流速が上昇し、吸引力が向上する程度の間隔で構成されている。
【００２４】
また、一対のサイドフレーム７３の間には、図７に示すように、フィルタ素材２５の裏側に接触するブラシローラ７４が架け渡されている。このブラシローラ７４は、吸引装置４８（図４参照）の吸引モータ５３（図４参照）に連動して動作するブラシモータ７７によって、フィルタ素材２５に接触する面が吸込開口７５に向かって転動する。ブラシモータ７７は、対向板７２の吸込開口１３０（図２参照）側の面に配置されており、レールフレーム５０Ａ（図４参照）側の端部で、ブラシモータ７７の軸に取り付けられたプーリ７７Ａとブラシローラ７４に取り付けられたプーリ７４Ａとの周りに、図５に示すように、一本の輪状のブラシベルト７９が巻き掛けられている。これにより、ブラシモータ７７が駆動すると、ブラシローラ７４は、転動してフィルタ素材２５の裏面を吸込開口７５に向けて引掻く。
【００２５】
天井埋込型天井埋込型空気調和機１００を運転すると、化粧パネル２１の吸込口２２から吸込まれた被調和室の空気は、フィルタ素材２５の濾過面２６で濾過された後に送風機９を通過し、熱交換器１１に送風される。熱交換器１１に送風された空気は、熱交換器１１で空気調和され、調和空気として、化粧パネル２１の吹出口２３から被調和室に吹き出される。
天井埋込側天井埋込型空気調和機１００の運転時間が経過するとともに、フィルタ素材２５の濾過面２６には、被調和室の空気に含まれていた塵埃が捕捉されて蓄積される。このとき、フィルタ清掃装置４０が稼働すると、ブラシローラ７４が回転してフィルタ素材２５を引掻くとともに、濾過面２６に蓄積された塵埃を吸引して清掃する。また、フィルタ搬送装置４１が稼働する場合には、先ず、フィルタ清掃装置４０が稼働し、ブラシローラ７４が回転してフィルタ素材２５を引掻くとともに、濾過面２６に蓄積された塵埃を吸引し、フィルタ清掃装置４０が稼動した直後に、フィルタ搬送装置４１のロール４５Ａがフィルタ素材２５を巻き取ってフィルタ素材２５を搬送し、フィルタ素材２５における濾過面２６の位置を、汚れていない新たな位置に変更する。
【００２６】
本実施形態では、フィルタ素材２５、フィルタ清掃装置４０等を備えるフィルタユニット２０が、本体ユニット１とは別体に設けられているため、このフィルタユニット２０を装着することにより、フィルタ素材２５、フィルタ清掃装置４０等を、従来の汎用空気調和機にもオプション装着することができる。
また、本実施形態では、多くの領域を占有する集塵ボックス４８Ａを、フィルタユニット２０の隅部に配置しているため、フィルタユニット２０をコンパクトにすることができるとともに、天井埋込型空気調和機１００をコンパクトにすることができる。
【００２７】
さらに、本実施形態では、集塵ボックス４８Ａとして、吸引した塵埃を圧縮して集塵するサイクロン式の集塵ボックスを備えているため、小さな集塵ボックス４８Ａであっても十分な量の塵埃を集塵することができる。
さらにまた、本実施形態では、フィルタユニット２０は、フィルタ搬送装置４１を備えるため、フィルタ素材２５にフィルタ清掃装置４０では清掃できなかった汚れやタバコ等の臭いが付着した場合に、フィルタ素材２５の搬送して濾過面２６の位置を変更させることができる。
【００２８】
（第２実施形態）
図８は、本実施形態に係る天井埋込型空気調和機（空気調和機）２００の斜視図、図９は、図８の断面図である。
この天井埋込型天井埋込型空気調和機２００は、図８に示すように、略四角形の箱形に形成されている板金製の本体ユニット１０１と、フィルタユニット１２０と、化粧パネル１２１とによって三段に構成されており、図９に示すように、吊りボルト１０２で天井から吊り下げられている。なお、本実施形態では、図８に示す矢印Ｆｒの方向を前方、矢印Ｆｒの方向を後方、矢印Ｒの方向を右方、矢印Ｌの方向を左方と定義する。
【００２９】
この本体ユニット１０１の内側には、図９に示すように、発泡スチロール製の断熱体１０３、送風機１０９、及び熱交換器１１１を備えている。断熱体１０３は、本体ユニット１０１の側板１０１Ａの内面に略接した状態で配置されている。
送風機１０９は、本体ユニット１０１の前後方向に延びて配置されている。
熱交換器１１１は、板状に形成され、送風機１０９を左右から挟み込むように、略平行に配置されており、断熱体１０３の内側に配置されている。
【００３０】
また、この断熱体１０３の内側であって熱交換器１１１の下方には、熱交換器１１の下面１１１Ａを覆うように、発泡スチロール製のドレンパン１１３と、このドレンパン１１３に溜まるドレンを外部に排出するドレンポンプ（不図示）が配置されている。
フィルタユニット１２０は、本体ユニット１０１の下面に取り付けられており、図９に示すように、フィルタ素材１２５と、フィルタ清掃装置（吸引手段）１４０と、フィルタ搬送装置１４１とを備えている。
フィルタユニット１２０の下面には、化粧パネル１２１が取り付けられている。この化粧パネル１２１には、被調和室の空気を吸込む吸込口１２２と、調和空気を被調和室に吹き出す吹出口１２３とが形成されている。化粧パネル１２１は、本体ユニット１０１及びフィルタユニット１２０の外形よりも大きな矩形のパネルであり、吸込口１２２が中央に形成され、吹出口２３が２つの辺部１２１Ａに各々形成されている。
【００３１】
また、化粧パネル１２１の下面には、フィルタ素材１２５を覆って、本体ユニット１０１及びフィルタユニット１２０の内部を外部から見えなくするためのカバー１２４が取り付けられている。従って、被調和室から吸込口１２２に流入する空気は、このカバー１２４の左右両脇から流入する。
カバー１２４には、カバー引掛具１２４Ａが設けられている。これにより、カバー１２４を、図８及び図９に示すように、矢印Ｓ１の方向（上方）に化粧パネル１２１に差込み、次に、矢印Ｓ２の方向（右方）にスライドすることにより、カバー引掛具１２４Ａが、化粧パネル１２１に設けられた引掛部に引っ掛かり、カバー１２４が化粧パネル１２１に取り付けられる。
【００３２】
ドレンパン１１３には、吸込開口２３０及び吹出開口２３１が形成されている。吸込開口２３０は、ドレンパン１１３を本体ユニット１０１に組み付けたときに、吸込開口２３０が化粧パネル１２１の吸込口１２２に対応する位置に形成され、吹出開口２３１は化粧パネル１２１の吹出口１２３に対応する位置に形成されている。ドレンパン１１３に設けられた吸込開口２３０は、略矩形に形成されたドレンパン１１３の中央に平面視略矩形に形成されている。また、吹出開口２３１は、ドレンパン１１３の左辺及び右辺のそれぞれに沿って形成されている。
本体ユニット１０１の側板１０１Ａの前側及び後側には、それぞれ２つの吊り金具１２７が連結されており、この吊り金具１２７が吊りボルト１０２（図８参照）で支持されて、天井埋込型天井埋込型空気調和機２００は天井から吊り下げられている。
【００３３】
フィルタユニット１２０には、吸込開口１４２及び吹出開口１４３が形成されている。このフィルタユニット１２０の外形は、本体ユニット１０１の外形と大きさがほぼ同じであり、また、フィルタ素材１２５やフィルタ清掃装置１４０等を納めるのに十分な高さを有している。吸込開口１４２は、フィルタユニット１２０を本体ユニット１０１に組み付けたときに、化粧パネル１２１の吸込口１２２に対応する位置に形成され、吹出開口１４３は化粧パネル１２１の吹出口１２３に対応する位置に形成されている。フィルタユニット１２０に設けられた吸込開口１４２は、略矩形に形成されたフィルタユニット１２０の中央に平面視略矩形に形成されている。また、吹出開口１４３は、フィルタユニット２０の左辺及び右辺のそれぞれに沿って形成されている。
【００３４】
フィルタユニット１２０の吸込開口１４２は、フィルタユニット１２０を本体ユニット１０１に組み付けたときに、本体ユニット１０１の吸込開口２３０に対応する位置に形成され、フィルタユニット１２０の吹出開口１４３は本体ユニット１０１の吹出開口２３１に対応する位置に形成されている。このため、化粧パネル１２１の吸込口１２２から吸込まれた空気は、フィルタユニット１２０の吸込開口１４２を通って、本体ユニット１０１の吸込開口２３０に流入する。また、本体ユニット１０１の吹出開口２３１から吹き出された調和空気は、フィルタユニット１２０の吹出開口１４３を通って、化粧パネル１２１の吹出口１２３から被調和室に吹き出す。
【００３５】
図１０は、フィルタユニット１２０の構成を模式的に示す斜視図である。
フィルタ素材１２５は、図１０に示すように、フィルタ搬送装置１４１に取り付けられており、矩形の濾過面１２６が形成されている。この濾過面１２６は、フィルタ素材１２５が取り付けられた状態で、本体ユニット１０１に形成された吸込開口２３０（図９参照）を覆い尽くすようになっている。このフィルタ素材１２５には、付着した塵埃が取り除き易く、容易に清掃することができるように、凹凸の少ないフラットな素材で帯状に形成されている。フィルタ素材１２５は、フィルタ搬送装置１４１により、矢印Ｇに示す方向に搬送可能である。また、フィルタ素材１２５の搬送方向の前後には、濾過面１２６の枠を形成する枠フレーム１５８（図９参照）が設けられている。
【００３６】
フィルタ搬送装置１４１は、濾過面１２６の両端でフィルタ素材１２５をガイドする一対のガイド軸１４４を備えている。また、これら一対のガイド軸１４４の外側には、一対のロール１４５Ａ、１４５Ｂが配置されている。これらロール１４５Ａ、１４５Ｂは、濾過面１２６とドレンパン１１３との間に配置されているとともに、濾過面１２６から吸込開口２３０（図９参照）に対して垂直に流入する空気の妨げとならない位置に避けて配置されている。
フィルタ素材１２５は帯状に形成されており、濾過面１２６の両端でガイド軸１４４に沿って化粧パネル１２１に向かって屈曲されている。フィルタ素材１２５は、一端がロール１４５Ａに巻きつけられ、他端がロール１４５Ｂに巻き付けられている。濾過面１２６の両端がガイド軸１４４で屈曲して形成されているため、ガイド軸１４４を設けずに濾過面１２６の両端に直接ロール１４５Ａ、１４５Ｂを設けた場合と異なり、ロール１４５Ａ、１４５Ｂに巻き付けられたフィルタ素材１２５の巻き数に応じて、フィルタ搬送装置１４１と枠フレーム１５８との隙間Ｈ、Ｉの大きさが変化することがない。
【００３７】
ロール１４５Ａは、図示せぬ搬送モータの駆動力で回転可能であり、ロール１４５Ｂは、ある一定の力（少なくとも送風機１０９の吸引力ではフィルタ素材１２５が送風機１０９に吸込まれない程度の力）を超えたときのみに回転するラッチを備えている。これにより、ロール１４５Ａがフィルタ素材１２５を引っ張るため、フィルタ素材１２５にテンションが生じるようになっている。
搬送モータが駆動すると、ロール１４５Ａが回転してフィルタ素材１２５を引張り、ロール１４５Ｂに巻き付けられたフィルタ素材１２５が繰り出されてフィルタ素材１２５が矢印Ｇに示す方向に搬送され、フィルタ素材１２５における濾過面１２６の位置が変わる。
【００３８】
フィルタ清掃装置１４０は、清掃ノズル１４７、フレキシブルホース１４９及び吸引装置１４８を備えている。吸引装置１４８と清掃ノズル１４７とは、フレキシブルホース１４９を介して接続されており、吸引装置１４８が吸引力を発生させることにより、吸込口としての清掃ノズル１４７が、フィルタ素材１２５に付着した塵埃を吸引する。このとき、清掃ノズル１４７が吸引した塵埃は、フレキシブルホース１４９を介して吸引装置１４８に搬送され、この吸引装置１４８に設けられた集塵ボックス１４８Ａに集塵される。
この集塵ボックス１４８Ａは、フィルタユニット１２０の短手方向略中央部、すなわち、フィルタユニット１２０の外枠１２０Ａの前部における中央部と、フィルタ搬送装置１４１との間に配置されている。フィルタユニット１２０は、集塵ボックス１４８Ａを備えることにより、集塵した塵埃を室外等に捨てる必要がなく、また、室外等に通じる排気用フレキシブルホース等を設ける必要がないため、フィルタユニット１２０の据え付けが容易である。集塵ボックス１４８Ａはサイクロン式であり、吸引した塵埃を圧縮して集塵するため、小さな集塵ボックス１４８Ａであっても、多量の塵埃を集塵することができる。吸引装置１４８は、吸引力を発生させる吸引送風機（不図示）を備えている。
【００３９】
清掃ノズル１４７は、フィルタ素材１２５の幅方向両端に濾過面１２６に沿って、ロール１４５Ａ、１４５Ｂと略平行に配置された一対のレールフレーム１５０Ａ、１５０Ｂに架け渡されている。この清掃ノズル１４７は、矩形断面で中空に形成されており、濾過面１２６に沿って帯状に延びている。濾過面１２６に対向する吸込面の中央には、レールフレーム１５０Ａ側からレールフレーム１５０Ｂ側にわたり、濾過面１２６に付着した塵埃を吸引する吸引開口１７５が形成されている。この吸引開口１７５は、フィルタ素材１２５の全幅と略同寸法の長さであるとともに、フィルタ素材１２５の幅方向と略同方向に延びている。
【００４０】
清掃ノズル１４７は、矢印Ｊに示すようにレールフレーム１５０Ａ、１５０Ｂに沿って前後にスライドすることができる。
天井埋込型天井埋込型空気調和機２００の運転中には、清掃ノズル１４７は、レールフレーム１５０Ａ、１５０Ｂの前端部、すなわち、濾過面１２６を通風する空気の妨げとならない位置にある。
フレキシブルホース１４９は、フィルタ搬送装置１４１と吹出開口１４３との間に形成されたホース収納空間Ｋに収納されている。
【００４１】
天井埋込型天井埋込型空気調和機２００を運転すると、化粧パネル１２１の吸込口１２２から吸込まれた被調和室の空気は、フィルタ素材１２５の濾過面１２６で濾過された後に送風機１０９を通過し、熱交換器１１１に送風される。熱交換器１１１に送風された空気は、熱交換器１１１で空気調和され、調和空気として、化粧パネル１２１の吹出口１２３から被調和室に吹き出される。
天井埋込側天井埋込型空気調和機２００の運転時間が経過するとともに、フィルタ素材１２５の濾過面１２６には、被調和室の空気に含まれていた塵埃が捕捉されて蓄積される。このとき、フィルタ清掃装置１４０が稼働すると、濾過面１２６に蓄積された塵埃を吸引して清掃する。また、フィルタ搬送装置１４１が稼働する場合には、先ず、フィルタ清掃装置１４０が稼働し、濾過面１２６に蓄積された塵埃を吸引し、フィルタ清掃装置１４０が稼動した直後に、フィルタ搬送装置１４１のロール１４５Ａがフィルタ素材１２５を巻き取ってフィルタ素材１２５を搬送し、フィルタ素材１２５における濾過面１２６の位置を、汚れていない新たな位置に変更する。
【００４２】
本実施形態では、フィルタ素材１２５、フィルタ清掃装置１４０等を備えるフィルタユニット１２０が、本体ユニット１０１とは別体に設けられているため、このフィルタユニット１２０を装着することにより、フィルタ素材１２５、フィルタ清掃装置１４０等を、従来の汎用空気調和機にもオプション装着することができる。
また、本実施形態では、多くの領域を占有する集塵ボックス１４８Ａを、フィルタユニット１２０の短手方向略中央部に配置しているため、フィルタユニット１２０をコンパクトにすることができるとともに、天井埋込型空気調和機２００をコンパクトにすることができる。
【００４３】
さらに、本実施形態では、集塵ボックス１４８Ａとして、吸引した塵埃を圧縮して集塵するサイクロン式の集塵ボックスを備えているため、小さな集塵ボックス１４８Ａであっても十分な量の塵埃を集塵することができる。
さらにまた、本実施形態では、フィルタユニット１２０は、フィルタ搬送装置１４１を備えるため、フィルタ素材１２５にフィルタ清掃装置１４０では清掃できなかった汚れやタバコ等の臭いが付着した場合に、フィルタ素材１２５の搬送して濾過面１２６の位置を変更させることができる。
【００４４】
以上、実施形態に基づいて本発明を説明したが、本発明はこれに限定されるものではない。上記第１及び第２実施形態では、本体ユニット１（１０１）と、フィルタユニット２０（１２０）と、化粧パネル２１（１２１）とによって三段構造としているが、これに限定されず、化粧パネル２１（１２１）がフィルタユニット２０（１２０）と一体に構成された二段構造や、四段以上の構造であってもよい。
【図面の簡単な説明】
【００４５】
【図１】本発明の第１実施形態による天井埋込型空気調和機を示す斜視図である。
【図２】天井埋込型空気調和機を示す断面図である。
【図３】本体ユニットを示す底面図である。
【図４】フィルタユニットを示す底面図である。
【図５】清掃ノズルを示す断面図である。
【図６】ノズル本体を示す上面図及び側面図である。
【図７】清掃ノズルを示す側面図である。
【図８】本発明の第２実施形態による天井埋込型空気調和機を示す斜視図である。
【図９】天井埋込型空気調和機を示す断面図である。
【図１０】フィルタユニットの構成を示す斜視図である。
【符号の説明】
【００４６】
１  本体ユニット
９  送風機
１１  熱交換器
２０  フィルタユニット
２１  化粧パネル
２１Ａ  辺部
２２  吸込口
２３  吹出口
２５  フィルタ素材
４０  フィルタ清掃装置（吸引手段）
４８Ａ  集塵ボックス
１００  天井埋込型空気調和機（空気調和機）
１０１  本体ユニット
１０９  送風機
１１１  熱交換器
１２０  フィルタユニット
１２１  化粧パネル
１２１Ａ  辺部
１２２  吸込口
１２３  吹出口
１２５  フィルタ素材
１４０  フィルタ清掃装置（吸引手段）
１４８Ａ  集塵ボックス
２００  天井埋込型空気調和機（空気調和機）
【図１】
2007309581.tif 000003
【図２】
2007309581.tif 000004
【図３】
2007309581.tif 000005
【図４】
2007309581.tif 000006
【図５】
2007309581.tif 000007
【図６】
2007309581.tif 000008
【図７】
2007309581.tif 000009
【図８】
2007309581.tif 000010
【図９】
2007309581.tif 000011
【図１０】
2007309581.tif 000012